(57)【要約】【課題】本発明はサーバ装置等の情報処理装置に装着されて使用状態とされるトランシーバモジュールに関し、機械的強度の高いラッチ機構を実現することを目的とする。【解決手段】ラッチ爪部材１５１とコイルばね１６０とプルスリーブ１７０とを有する。ラッチ爪部材１５１とコイルばね１６０とは別の部材であり、下側ハウジングハーフ１１０の溝部１９０内に組み込んである。ラッチ爪部材１５１のカム部１５４は、ラッチ爪部材１５１のうちＸ２側に配置してある。操作者がプルスリーブ１７０をＸ２方向に引くと、カム部１７４がカム部１５４を押して、ラッチ爪部材１５１がコイルばね１６０に抗してＹ１方向に移動されてモジュールハウジング９０内に後退し、ラッチが解除される。【選択図】図１１
2006351505.tif 000002
【特許請求の範囲】
【請求項１】
直方体形状であり、長手方向上、一側が正面側であり、反対側が挿入方向先端側である金属製のハウジングと、該ハウジングの内部に設けてありデータを送受信するデータ送受信部と、該ハウジングの正面側の外部接続用コネクタと、該ハウジングの挿入方向先端側のコンタクト部と、ラッチ機構とを有し、
該コンタクト部を先頭にして、情報処理装置に挿入されて、上記ラッチ機構によって該情報処理装置に対してラッチされて、該コンタクト部を該情報処理装置のインターフェイスに接続されて使用されるトランシーバモジュールにおいて、
上記ラッチ機構は、
上記ハウジングに一部がその側面から突き出るように設けてあり、第１のカム部を有する係止爪部材と、
上記係止爪部材を上記ハウジングの側面から突き出る方向に付勢する突き出し用ばね部材と、
上記ハウジングの正面側に上記外部接続用コネクタを囲むようにして設けてあるプルスリーブと一体に設けてあり、該プルスリーブが引かれた場合に上記係止爪部材の第１のカム部に作用して上記係止爪部材を上記突き出し用ばね部材に抗して上記ハウジング内に引き込む第２のカム部とよりなり、
上記係止爪部材と上記突き出し用ばね部材とが別部品であることを特徴とするトランシーバモジュール。
【請求項２】
プリント基板上にデータを送受信する機能を備えた半導体パッケージが実装してあり、該プリント基板の一端側に平衡伝送用コネクタプラグが実装してあり、該プリント基板の他端側がカードエッジコンタクト部であるデータ送受信組立体が、金属製のハウジング内に組み込んであり、且つ、ラッチ機構を有し、
該カードエッジコンタクト部を先頭にして、情報処理装置に挿入されて、上記ラッチ機構によって該情報処理装置に対してラッチされて、該カードエッジコンタクト部を該情報処理装置のインターフェイスに接続されて使用されるトランシーバモジュールにおいて、
上記ラッチ機構は、
上記ハウジングに一部がその側面から突き出るように設けてあり、第１のカム部を有する係止爪部材と、
上記係止爪部材を上記ハウジングの側面から突き出る方向に付勢する突き出し用ばね部材と、
上記ハウジングの正面側に上記平衡伝送用コネクタプラグを囲むようにして設けてあるプルスリーブと一体に設けてあり、該プルスリーブが引かれた場合に上記係止爪部材の第１のカム部に作用して上記係止爪部材を上記突き出し用ばね部材に抗して上記ハウジング内に引き込む第２のカム部とよりなり、
上記係止爪部材と上記突き出し用ばね部材とが別部品であることを特徴とするトランシーバモジュール。
【請求項３】
請求項１又は請求項２に記載のトランシーバモジュールにおいて、
上記ラッチ機構は、
上記係止爪部材が、上記第１のカム部が上記係止爪部材のうち上記ハウジングの正面側寄りに配置してある形状であり、
上記第２のカム部が上記第１のカム部に作用して発生する上記係止爪部材を上記ハウジング内に引き込む力が、上記係止爪部材のうち上記ハウジングの正面側寄りの位置に作用する構成としたことを特徴とするトランシーバモジュール。
【請求項４】
請求項１又は請求項２に記載のトランシーバモジュールにおいて、
上記ラッチ機構は、
引き操作された上記プルスリーブを元の位置に復帰させるばね部材を更に有する構成としたことを特徴とするトランシーバモジュール。
【請求項５】
請求項１又は請求項２に記載のトランシーバモジュールにおいて、
上記ラッチ機構は、
上記係止爪部材が上記ハウジングの両側に配置してあり、
上記プルスリーブは、上記両側の係止爪部材に作用する第２のカム部を有する構成としたことを特徴とするトランシーバモジュール。
【請求項６】
請求項１又は請求項２に記載のトランシーバモジュールにおいて、
上記ハウジングは、上面に、複数の放熱フィンと、各放熱フィンの両端側において隣り合う放熱フィンの間を連結する連結部とを有する構成としたことを特徴とするトランシーバモジュール。
【請求項７】
請求項１又は請求項２に記載のトランシーバモジュールにおいて、
上記プルスリーブは、逆Ｕ字形状のプルスリーブ部と、該プルスリーブ部の両端間を横架する下側金属板部材とを有する構成としたことを特徴とするトランシーバモジュール。
【請求項８】
請求項２に記載のトランシーバモジュールにおいて、
上記ハウジングは、上側ハウジングハーフと下側ハウジングハーフとが組み合わされた構成であり、
上記上側ハウジングハーフ及び下側ハウジングハーフの内側でもって、上記平衡伝送用コネクタプラグの上記トランシーバモジュールの高さ方向上及び長手方向上の位置を規制する機構を有する構成としたことを特徴とするトランシーバモジュール。
【請求項９】
請求項２に記載のトランシーバモジュールにおいて、
上記ハウジングは、上側ハウジングハーフと下側ハウジングハーフとが組み合わされた構成であり、
上記平衡伝送用コネクタプラグの上面と上記上側ハウジングハーフとの間に金属製のスポンジ状のガスケットが挟み込んであり、
上記平衡伝送用コネクタプラグの下面と上記下側ハウジングハーフとの間に金属製のスポンジ状のガスケットが挟み込んである構成としたことを特徴とするトランシーバモジュール。
【請求項１０】
請求項２に記載のトランシーバモジュールにおいて、
上記ハウジングは、上側ハウジングハーフと下側ハウジングハーフとが組み合わされた構成であり、
上記半導体パッケージの上面と上記上側ハウジングハーフの下面との間に、放熱シートが挟まれており、
且つ、上記上側ハウジングハーフの下面のうちは上記放熱シートに対向する部分は複数の凸部を有し、該複数の凸部が上記放熱シートを押している構成としたことを特徴とするトランシーバモジュール。
【請求項１１】
請求項１又は請求項２に記載のトランシーバモジュールにおいて、
上記ラッチ機構は、
上記プルスリーブと一体であって、上記第２のカム部が形成してあるロッド部を有し、
該ロッド部が、前記ハウジングの一端のフランジ部に形成してある開口を通って前記ハウジング内に進入している構成であり、
前記ロッド部はシールド板部材を有し、
該シールド板部材は、該ロッド部の軸線に対して垂直の向きであり、上記トランシーバモジュールの正面側から見て、上記フランジ部の上記開口に対応する大きさであって、前記ハウジングと接触しており、上記ロッド部が通っている上記フランジ部の上記開口からの電磁波の漏洩を制限する構成としたことを特徴とするトランシーバモジュール。
【請求項１２】
請求項１１に記載のトランシーバモジュールにおいて、
上記シールド板部材は、Ｕ字形状のバネ部を有し、
該Ｕ字形状のバネ部が上記ハウジングの一部に当っており、上記プルスリーブが引き操作されたときに弾性的に変形してばね力を蓄え、上記プルスリーブが引き操作から解放されたときに、上記蓄えてあるばね力によって上記プルスリーブを元の位置に復帰させる構成としたことを特徴とするトランシーバモジュール。
【請求項１３】
請求項１１に記載のトランシーバモジュールにおいて、
上記ロッド部は、スリット部と該スリット部の奥の芯部とを有し、
上記シールド板部材は、切欠部を有し、
上記シールド板部材は、上記スリット部に圧入してあり、上記切欠部が上記芯部と嵌合してある構成としたことを特徴とするトランシーバモジュール。
【請求項１４】
請求項１又は請求項２に記載のトランシーバモジュールにおいて、
前記ハウジングの正面側付近の上面及び下面に、正面方向に向かって斜めの板ばね部が複数並んでいる形状の金属ばね型のガスケット部材を設けてなり、
トランシーバモジュールが情報処理装置の開口を通して情報処理装置の内部に挿入された状態で、各板ばね部が情報処理装置の開口の縁に密着する構成としたことを特徴とするトランシーバモジュール。
【請求項１５】
請求項１又は請求項２に記載のトランシーバモジュールにおいて、
前記ハウジングの側面のうち、フランジ部の裏面側に、柱状のガスケットが組み込んであり、
トランシーバモジュールが情報処理装置の開口を通して情報処理装置の内部に挿入された状態で、柱状のガスケットが情報処理装置の開口の縁に密着する構成としたことを特徴とするトランシーバモジュール。
【請求項１６】
直方体形状であり、長手方向上、一側が正面側であり、反対側が挿入方向先端側である金属製のハウジングと、該ハウジングの内部に設けてありデータを送受信するデータ送受信部と、該ハウジングの正面側の外部接続用コネクタと、該ハウジングの挿入方向先端側のコンタクト部と、ラッチ機構とを有し、
前記ハウジングは、上側ハウジングハーフと下側ハウジングハーフとが組み合わされた構成であり、前記外部接続用コネクタのコネクタハウジングを包んで固定しており、
該コンタクト部を先頭にして、情報処理装置に挿入されて、上記ラッチ機構によって該情報処理装置に対してラッチされて、該コンタクト部を該情報処理装置のインターフェイスに接続されて使用されるトランシーバモジュールにおいて、
前記ハウジングが前記外部接続用コネクタのコネクタハウジングの上面側を固定する上面側固定部と、前記ハウジングが前記外部接続用コネクタのコネクタハウジングの下面側を固定する下面側固定部とが、前記トランシーバモジュールの長手方向上にずらしてある構成としたことを特徴とするトランシーバモジュール。
【請求項１７】
請求項１６に記載のトランシーバモジュールにおいて、
前記外部接続用コネクタのコネクタハウジングは直方体形状であり、
前記上面側固定部と前記下面側固定部とは、前記直方体形状のコネクタハウジングの対角の近くに位置している構成としたことを特徴とするトランシーバモジュール。
【請求項１８】
請求項１６に記載のトランシーバモジュールにおいて、
前記コネクタハウジングは、前記上面側固定部に対応する部位に上面側凹部を有し、且つ、前記下面側固定部に対応する部位に下面側凹部を有し、
前記上側ハウジングハーフは、前記上面側凹部に対応する部位に上側突起部を有し、
前記下側ハウジングハーフは、前記下面側凹部に対応する部位に下側突起部を有し、
前記上側側突起部が前記上面側凹部に嵌合しており、前記下側側突起部が前記下面側凹部に嵌合している構成としたことを特徴とするトランシーバモジュール。
【請求項１９】
請求項１８に記載のトランシーバモジュールにおいて、
前記コネクタハウジングの上面側凹部は逆台形状であり、前記上側ハウジングハーフの上側突起部は前記上面側凹部に圧入される逆台形状であり、前記上側突起部が前記上面側凹部に圧入してあり、
前記コネクタハウジングの下面側凹部は台形状であり、前記下側ハウジングハーフの下側突起部は前記下面側凹部に圧入される台形状であり、前記下側突起部が前記下面側凹部に圧入してある構成としたことを特徴とするトランシーバモジュール。
【発明の詳細な説明】
【技術分野】
【０００１】
本発明はトランシーバモジュールに係り、データを送信及び受信する機能を備えたものであって、サーバ装置等の情報処理装置に装着されて使用状態とされるトランシーバモジュールに関する。
【背景技術】
【０００２】
ＬＡＮ(Local  Area  Network)の一つにバス型ＬＡＮであるイーサネット（Ethernet（登録商標））ＬＡＮがある。イーサネットＬＡＮはデータを送信及び受信する機能を備えているサーバ装置を設置し、これに信号伝送路を接続して構築される。このＬＡＮ等のシステムは、データの送信の距離が長い場合には数１０ｋｍと長く、短い場合には１０ｍ程度と短く、ユーザによって規模がまちまちである。そこで、ユーザのニーズに柔軟に対応できるように、データを送信及び受信する機能を備えたモジュールであるトランシーバモジュールを、通信距離等に応じて複数の種類用意しておき、サーバ装置は、トランシーバモジュール装着部を幾つか有する構成とし、所望のトランシーバモジュールを装着部に装着することによって組み立てられる。また、データの送信の距離に変更があった場合等には、トランシーバモジュールを装着部から取り外し、別のトランシーバモジュールを装着することで対応が可能である。どの種類のトランシーバモジュールもトランシーバモジュール装着部に装着出来るように、即ち、トランシーバモジュール間で互換性があるように、トランシーバモジュールに関しては、幾つかの取り決めが定められている。
【０００３】
取り決めの一つに、コネクタを囲んでいるプルスリーブを引く操作を行うとトランシーバモジュールの側面から突き出ている係止爪がハウジング内に後退するようにするというものがある。
【発明の開示】
【発明が解決しようとする課題】
【０００４】
図１（Ａ）、（Ｂ）は本願の出願人が本願の発明に到る途中で考えた構成である。図１（Ａ）はトランシーバモジュール１０がＸ１方向に挿入されてサーバ装置２０のトランシーバモジュール装着部２１に装着されている状態を示し、図１（Ｂ）はトランシーバモジュール１０をサーバ装置２０のトランシーバモジュール装着台２１から取り出すときの状態を示す。
【０００５】
１１はトランシーバモジュールのハウジング、１２はプルスリーブ、１３ａは係止爪である。１２ａは楔部であり、プルスリーブ１２と一体であり、ハウジング１１の空間部１１ａ内に位置している。係止爪１３ａは板ばね部材１３の一端を折り曲げて形成してあり、三角形状をしている。板ばね部材１３は、空間部１１ａ内にＵ字形状に彎曲されて組み込んであり、係止爪１３ａがハウジング１０の側面から突き出ており、トランシーバモジュール装着台２１の係止口２１ａに係合してラッチされている。トランシーバモジュール１０のＸ２端側のコネクタには、ケーブルコネクタ（図示せず）が接続してある。
【０００６】
図１（Ｂ）に示すようにプルスリーブ１２をＸ２方向に引くと、楔部１２ａが係止爪１３ａを押して、板ばね部材１３を撓ませつつ、係止爪１３ａがハウジング１１内に後退され、係止口２１ａから外れて、ラッチが解除され、トランシーバモジュール１０はサーバ装置２０から引き出される。
【０００７】
係止爪１３ａが板ばね部材１３の一部を折り曲げて形成してあり、付け根部１３ｂの強度は弱くなりがちである。このため、例えば、ケーブルコネクタが誤って引っ張られたようなときに、図２（Ａ）に示すように、係止爪１３ａの先端が係止口２１ａの端に当って係止爪１３ａには相対的に力Ｆ１が作用して、強度が弱い付け根部１３ｂに関して反時計方向のモーメントＭ１が作用し、係止爪１３ａは付け根部１３ｂで折り曲げられて図２（Ｂ）に示すようになってしまい、ロックが不完全となってしまうことが分かった。
【０００８】
本発明は、上記の点に鑑みてなされたトランシーバモジュールを提供することを目的とする。
【課題を解決するための手段】
【０００９】
そこで、上記課題を解決するため、本発明は、直方体形状であり、長手方向上、一側が正面側であり、反対側が挿入方向先端側であるハウジングと、該ハウジングの内部に設けてありデータを送受信するデータ送受信部と、該ハウジングの正面側の外部接続用コネクタと、該ハウジングの挿入方向先端側のコンタクト部と、ラッチ機構とを有し、
該コンタクト部を先頭にして、情報処理装置に挿入されて、上記ラッチ機構によって該情報処理装置に対してラッチされて、該コンタクト部を該情報処理装置のインターフェイスに接続されて使用されるトランシーバモジュールにおいて、
上記ラッチ機構は、
上記ハウジングに一部がその側面から突き出るように設けてあり、第１のカム部を有する係止爪部材と、
上記係止爪部材を上記ハウジングの側面から突き出る方向に付勢する突き出し用ばね部材と、
上記ハウジングの正面側に上記外部接続用コネクタを囲むようにして設けてあるプルスリーブと一体に設けてあり、該プルスリーブが引かれた場合に上記係止爪部材の第１のカム部に作用して上記係止爪部材を上記突き出し用ばね部材に抗して上記ハウジング内に引き込む第２のカム部とよりなり、
上記係止爪部材と上記突き出し用ばね部材とが別部品であることを特徴とする。
【発明の効果】
【００１０】
本発明によれば、係止爪部材と突き出し用ばね部材とが別部品であるため、機械的強度の高いラッチ機構を実現することが可能となる。
【発明を実施するための最良の形態】
【００１１】
次に本発明の実施の形態について説明する。
【実施例１】
【００１２】
［サーバ装置及びトランシーバモジュールの概略］
図３及び図４は本発明の実施例1になるトランシーバモジュール５０がサーバ装置２０のトランシーバモジュール装着台２１に装着される途中の状態を示す。
【００１３】
Ｘ１−Ｘ２はトランシーバモジュール５０の長手方向（サーバ装置２０の奥行き方向）、Ｙ１−Ｙ２はトランシーバモジュール５０の幅方向（サーバ装置２０の幅方向）、Ｚ１−Ｚ２はトランシーバモジュール５０の高さ（厚さ）方向（サーバ装置２０の高さ方向）である。Ｘ２側が正面であり、Ｘ１側が挿入方向先端である。
【００１４】
サーバ装置２０は、そのフロントパネル２２にトランシーバモジュール挿入口２３を複数有し、各挿入口２３に臨んで略Ｕ字形状のトランシーバモジュール装着台２１が設けてある。装着台２１はマザーボード２４上に実装してある。装着台２１は、上面が解放の箱形状であり、側板に係止口２１ａを有し、側板の上端がガイドレール部２１ｂとなっており、奥部には、インターフェイス接続用コネクタ２５がサーバ装置２０のインターフェイスに接続されて設けてある。
【００１５】
トランシーバモジュール５０は、データを送受信するデータ送受信組立体５１が、モジュールハウジング９０内に組み込んである構成であり、Ｘ１−Ｘ２方向に長い直方体形状であり、Ｘ２側にプルスリーブ１７０を有し、Ｘ２側に平衡伝送用コネクタプラグ８０を有し、Ｘ１側にカードエッジコンタクト部６１を有する構成である。平衡伝送用コネクタプラグ８０を使用していることによって、トランシーバモジュール５０は、通信距離は短く制限されるけれども、最大転送速度が１０Ｇｂｉｔの高速通信を行える機能を有し、Ethernet（登録商標）仕様を満足する。トランシーバモジュール５０は光電変換部を備えていなため、その分コストは安価である。
【００１６】
通信距離が短い高速通信を行うシステムに適用されるサーバ装置２０は、上記のトランシーバモジュール５０をトランシーバモジュール挿入口２３を通してＸ１方向にトランシーバモジュール装着台２１に沿って挿入し、カードエッジコンタクト部６１をインターフェイス接続用コネクタ２５に接続し、後述するようにラッチして、トランシーバモジュール５０を装着することによって組み立てられる。平衡伝送用コネクタプラグ８０がフロントパネル２２より突き出ている。
【００１７】
別の機器から延びている平衡伝送用ケーブルコネクタ４０がサーバ装置２０の平衡伝送用コネクタプラグ８０に後述する係止穴部材８５に係止されて接続され、サーバ装置２０と上記別の機器とが接続されて、短距離の高速通信システムが構築される。トランシーバモジュール５０のコストが安価であることによって、この短距離の高速通信システムを構築するための費用は従来に比べて安価である。
［トランシーバモジュール５０の構成（ラッチ機構を除く）］
図５はトランシーバモジュール５０を分解して示す。図６は図３中垂直面ＳＶＩで断面して拡大して示し、図７は図３中垂直面ＳＶＩＩで断面して拡大して示す。
【００１８】
データ送受信組立体５１は、プリント基板６０の中央に、ＬＳＩ７０が実装してあり、プリント基板６０のＸ２側端に、平衡伝送用コネクタプラグ８０が実装してあり、プリント基板６０のＸ１側が端子が並んだカードエッジコンタクト部６１となっている構成である。ＬＳＩ７０は、データを送受信を行う機能を有し、下面のボールグリッドアレイ端子によってプリント基板６０上に表面実装してある。
【００１９】
平衡伝送用コネクタプラグ８０は、図６及び図７に拡大して示すように、絶縁性のプラグハウジング８１内に、対をなすプラス信号端子及びマイナス信号端子（共に図示せず）が、グランド端子８２を間において多数並んで組み込んである構成である。平衡伝送用コネクタプラグ８０のＸ２側には、周囲がシールド部材８４でもって覆われているプラグ部８３と、Ｙ１，Ｙ２側の係止穴部材８５とを有する。平衡伝送用コネクタプラグ８０は、ハウジング８１の一部がプリント基板６０上に支持されて、ハウジング８１の脚部８１ａをプリント基板６０の穴に嵌合させて位置決めされ、且つ、Ｘ２側に並んでいる端子部８６をプリント基板６０の対応する端子部に半田付けされている。対の数は１６であり、８組が受信用と残りの８組が送信用とに割り当てられている。
【００２０】
プラグハウジング８１は、上面の両側に突起部８１ｂ，８１ｃを有し、且つ、下面の両側に突起部８１ｄ，８１ｅを有し、且つ、上面のＸ１側に張り出し部８１ｆを有する。
【００２１】
図５に示すように、モジュールハウジング９０は、共にアルミニウム製である上側ハウジングハーフ９１と下側ハウジングハーフ１１０とが組み合わされている構成である。
【００２２】
上側ハウジングハーフ９１は、上面に放熱フィン９２を多数有する。放熱フィン９２はＹ１−Ｙ２方向に長い形状であり、Ｘ１−Ｘ２方向に並んでいる。９３、９４は連結部であり、Ｙ１側端及びＹ２側端において隣り合う放熱フィン９２の間を連結している。放熱フィン９２の上面と連結部９３、９４の上面とは同一面である。内側にはプリント基板６０を取り付けるための台座部９５が形成してある。Ｘ２側には、フランジハーフ部９６及びカバーハーフ部９７を有する。カバーハーフ部９７は、先端縁に沿って内側に張り出ているリブ部９８を有し、且つ、内側面に、突起部１００，１０１を有し、且つ、Ｘ２側に段部１０２を有する。上側ハウジングハーフ９１の略中央の裏面、即ち、放熱フィン９２が形成してある部分の裏面には、浅い放熱シート用凹部１０３が形成してあり、この凹部１０３の天井面には、凸部１０４が複数形成してある。また、フランジハーフ部９６には、プルスリーブのロッド部が通る切欠部１０５が形成してある。
【００２３】
下側ハウジングハーフ１１０は、Ｘ２側に、フランジハーフ部１１１及びカバーハーフ部１１２を有する。カバーハーフ部１１２は、先端縁に沿って内側に張り出ているリブ部１１３を有し、且つ、内側面に、突起部１１４，１１５を有する。また、下側ハウジングハーフ１１０には、Ｘ２側寄りの内側のＹ２とＹ１側とに、ラッチ機構組み込み部１１６，１１７が形成してあり、且つ、側板の外面にＸ１−Ｘ２方向に長いガイド溝１１８が形成してある。
【００２４】
図４に示すように、データ送受信組立体５１は、プリント基板６０の一部を台座部９５にねじ１２０によって上側ハウジングハーフ９１の裏面に固定してあり、且つ、プリント基板６０の別の部分を上側ハウジングハーフ９１と下側ハウジングハーフ１１０とによって挟まれて、下側ハウジングハーフ１１０を上側ハウジングハーフ９１に止めるねじによって共締めされており、上側ハウジングハーフ９１と下側ハウジングハーフ１１０とよりなるモジュールハウジング９０内に収容されている。また、カバーハーフ部９７、１１２が合わさってカバー部１２２が形成され、フランジハーフ部９６、１１１が合わさってフランジ部１１９が形成される。
【００２５】
平衡伝送用コネクタプラグ８０はカバーハーフ部９７、１１２が形成するカバー部１２２内に収まっており、プラグ部８３がカバー部１２２よりＸ２側に露出している。カードエッジコンタクト部６１がモジュールハウジング９０のＸ１端に臨んでいる。放熱シート１３０が、放熱シート用凹部１０３内に収まって、ＬＳＩ７０の上面と上側ハウジングハーフ９１の下面との間に挟み込んである。放熱シート１３０には、平面が押し当たるのではなく、複数の凸部１０４が押し当っており、放熱シート１３０を介してＬＳＩ７０をＺ２方向に押し付ける荷重が過大とならないようにしてある。これによって、ＬＳＩ７０のプリント基板６０への接続部に過大な応力が作用したり或いはクラックが入ったりして電気的接続を損ねることが回避される。
【００２６】
図６及び図７を参照して、平衡伝送用コネクタプラグ８０の部分に注目する。
【００２７】
Ｚ１−Ｚ２方向についてみると、突起部１００，１０１と突起部１１４，１１５とが、夫々突起部８１ｂ，８１ｃと突起部８１ｄ，８１ｅとに当ってＹ１側とＹ２側とで夫々二箇所で平衡伝送用コネクタプラグ８０を挟み込んでいる。突起部１００等及び突起部８１ｂ等は寸法精度良く形成してあるので、平衡伝送用コネクタプラグ８０のモジュールハウジング９０に対するＺ１−Ｚ２方向の位置は精度良く定まる。
【００２８】
Ｘ１−Ｘ２方向については、図６に示すように、リブ部９８、１１３が平衡伝送用コネクタプラグ８０の一部を係止し、且つ、段部１０２が張り出し部８１ｆを係止して、押さえられている。
【００２９】
よって、トランシーバモジュール５０をサーバ装置２０に装着するとき及び平衡伝送用ケーブルコネクタ４０を接続するときに平衡伝送用コネクタプラグ８０にかかるＸ１方向の力は、張り出し部８１ｆが段部１０２に当ることによってモジュールハウジング９０によって受け止められる。また、トランシーバモジュール５０をサーバ装置２０から引っ張って抜くとき及び平衡伝送用ケーブルコネクタ４０を引いて外すときに平衡伝送用コネクタプラグ８０にかかるＸ２方向の力は、平衡伝送用コネクタプラグ８０のＸ２側端がリブ部９８、１１３に当ることによってモジュールハウジング９０によって受け止められる。よって、端子部８６のプリント基板６０への半田付け部分には無用な力が作用しない。
【００３０】
また、図７に示すように、金属製でスポンジ状のガスケット１４０が突起部８１ｂ，８１ｃの間でシールド部材８４と上側ハウジングハーフ９１の間に挟み込まれており、及び金属製でスポンジ状のガスケット１４１が突起部８１ｄ，８１ｅの間でシールド部材８４と下側ハウジングハーフ１１０の間に挟み込まれており、ＥＭＩ(electro-magnetic  interference)対策がなされている。
【００３１】
ここで、トランシーバモジュール５０の上面の放熱フィンの部分に注目してみる。連結部９３、９４が存在していない場合には、図４に示すトランシーバモジュール５０をサーバ装置２０内に挿入する過程において、トランシーバモジュール５０のＸ２側をＺ１方向に引き上げた場合には、放熱フィン９２が図４中二点鎖線で示すようにフロントパネル２２の挿入口２３に臨む部分にぶつかってそれ以上の挿入が出来なくなってしまう。よって、作業は放熱フィン９２がフロントパネル２２にぶつからないように注意して行う必要があった。しかし、本実施例では連結部９３、９４が存在していることによって、図４に示すトランシーバモジュール５０をサーバ装置２０内に挿入する過程においてトランシーバモジュール５０のＸ２側をＺ１方向に引き上げた場合であっても、連結部９３、９４がフロントパネル２２のうち挿入口２３のＺ１側の縁に臨む部分に当ることによって、トランシーバモジュール５０のＺ１方向への移動は制限され、放熱フィン９２がフロントパネル２２の挿入口２３に臨む部分にぶつかる状態にはならず、トランシーバモジュール５０をサーバ装置２０内に挿入する作業及びトランシーバモジュール５０をサーバ装置２０外に引き出す作業はし易い。
【００３２】
なお、トランシーバモジュール５０は、両側のガイド溝１１８をトランシーバモジュール装着台２１のガイドレール部２１ｂに案内されつつサーバ装置２０内に挿入される。
［トランシーバモジュール５０のラッチ機構の構成及び動作］
図８はトランシーバモジュール５０をサーバ装置２０に装着した状態にラッチするラッチ機構１５０を示す。図９は図８中ラッチ爪部材１５１の部分を拡大して示す。図１０は図８中Ｘ−Ｘ線に沿う断面を示す。図１１はラッチ機構１５０を分解して示す。
【００３３】
ラッチ機構１５０はトランシーバモジュール５０のＹ２側とＹ１側とに設けてある。夫々は同じ構成であるので、Ｙ２側の機構を説明し、Ｙ１側の機構の説明は省略する。
【００３４】
図１１に示すように、ラッチ機構１５０は、ラッチ爪部材１５１とコイルばね１６０とを有する。ラッチ爪部材１５１とコイルばね１６０とは別の部材である。
【００３５】
ラッチ爪部材１５１は、独立した部品であり、爪の形状を有して且つ十分な強度を有するサイズであり、Ｘ２側に係止面１５２を有し、Ｘ１側に、係止面１５２と平行である面１５３を有し、Ｚ１側の面には、Ｘ２側に第１のカム部１５４がＺ１側に突き出して有する。Ｚ１側の面には、Ｘ１側に張り出した張り出し部１５５及びＸ２側に張り出した張り出し部１５６を有する。張り出し部１５６はカム部１５４の一部からなる。Ｚ２側の面にはコイルばね収容用溝部１５７を有する。このコイルばね収容用溝部１５７はＹ１側に貫通している。
【００３６】
図５に示すように、プルスリーブ１７０は、プルスリーブ本体１７１と下側金属板部材１８０と、コイルばね１８１とよりなる。プルスリーブ本体１７１は、横板部１７２ａと両側の縦板部１７２ｂ，１７２ｃとよりなる逆Ｕ字形状のプルスリーブ部１７２と、このプルスリーブ部１７２の両側の縦板部１７２ｂ，１７２ｃからＸ１方向に突き出ているロッド部１７３とを有する。プルスリーブ部１７２の外周面は凹状となっており指先で掴んで引くときに指先が引っ掛り易くしてある。ロッド部１７３は、断面が矩形状であり、そのＺ２側の面には、図１１に併せて示すように、Ｚ２側に突き出して楔形状の第２のカム部１７４と突起部１７５とを有する。ロッド部１７３のＺ１側の面には凹部１７６を有する。
【００３７】
プルスリーブ本体１７１がカバー部１２２の上側及び横側を覆っており、下側金属板部材１８０が縦板部１７２ｂ，１７２ｃの間に横架してあり、プルスリーブ本体１７１と下側金属板部材１８０とが四角枠１８５を形成して、カバー部１２２を囲んでＸ２方向に摺動可能に嵌合してある。下側が金属板部材１８０であることによって、四角枠１８５はＺ１−Ｚ２方向の寸法Ｈ１が短くなり、トランシーバモジュール５０のフランジ部１１９の部分の高さ寸法Ｈ２が短くなる。
【００３８】
ロッド部１７３はフランジハーフ部９６の切欠部１０５（フランジ部１１９の開口１１９ａ）を通ってモジュールハウジング９０内に進入している。
【００３９】
図１０及び図１１に示すように、下側ハウジングハーフ１１０のラッチ機構組み込み部１１６は、Ｙ１−Ｙ２方向に延在する溝部１９０と、この溝部１９０の上側を横切ってＸ１−Ｘ２方向に延在する溝部１９１とを有する。溝部１９０はラッチ爪部材１５１とコイルばね１６０を収容する。溝部１９１はプルスリーブ本体１７１のロッド部１７３を収容する。溝部１９０のＹ２方向の端は開口１９２である。下側ハウジングハーフ１１０の側壁のうち開口１９２に臨む部分が、ストッパ１９３，１９４を形成する。上側ハウジングハーフ９１は、溝部１９１に対向する溝部１９５と、リブ部１９６とを有する。溝部１９５は上記ロッド部１７３のうちＺ１側の部分とコイルばね１８１とを収容する。リブ部１９６が凹部１７６のうちＸ２側に嵌合してあり、コイルばね１８１はリブ部１９６と凹部１７６のＸ１側の壁との間に設けてある。
【００４０】
ラッチ爪部材１５１は、溝部１５７内に収まったコイルばね１６０と共に、溝部１９０内に嵌合してあり、Ｙ１−Ｙ２方向に摺動可能である。張り出し部１５５、１５６は溝部１９１の底面上に位置している。ロッド部１７３は、ラッチ爪部材１５１の上側を覆うようにして溝部１９１内に収まっている。ロッド部１７３のＺ１側の部分は、凹部１７６内に収まったコイルばね１８１と共に溝部１９５内に嵌合してある。ロッド部１７３は、Ｘ１−Ｘ２方向に摺動可能である。コイルばね１８１は凹部１７６のＸ１側端と溝部１９５のＸ２側端との間に配置してある。
【００４１】
通常は、ラッチ機構１５０は、図８、図９、図１０に示す状態にある。プルスリーブ１７０は、コイルばね１８１のばね力によってＸ１方向に移動されており、四角枠１８５はカバー部１２２を囲んでおり、カム部１７４はラッチ爪部材１５１のカム部１５４よりもＸ１側に位置している。ラッチ爪部材１５１はコイルばね１６０にばね力によってＹ２方向に移動されており、張り出し部１５５、１５６がストッパ１９３，１９４に係止されており、開口１９２より外側に突き出ている。
【００４２】
トランシーバモジュール５０が図４に示すようにサーバ装置２０内に挿入するときに、ラッチ爪部材１５１は、一旦モジュールハウジング９０内に押し込まれ、図９に示すように、トランシーバモジュール装着台２１の係止口２１ａ内に突き出て、トランシーバモジュール５０はサーバ装置２０にラッチされる。
【００４３】
トランシーバモジュール５０をサーバ装置２０から抜き出す場合には、操作者は手でプルスリーブ１７０の四角枠１８５を掴んでＸ２方向に強く引く。この操作によって、コイルばね１８１が撓まされ四角枠１８５がＸ２方向に移動され、図１３に示すように、カム部１７４がラッチ爪部材１５１のカム部１５４を押して、ラッチ爪部材１５１がコイルばね１６０に抗してＹ１方向に移動されてモジュールハウジング９０内に後退し、ラッチが解除される。また、図１２に示すように突起部１７５が溝部１９１のＸ２側の端部に当り、操作者がプルスリーブ１７０をＸ２方向に引く力がロッド部１７３を介してモジュールハウジング９０に伝達され、トランシーバモジュール５０がＸ２方向に移動され、カードエッジコンタクト部６１がインターフェイス接続用コネクタ２５から引き抜かれて、トランシーバモジュール５０がサーバ装置２０から抜き出される。
【００４４】
操作者が手をプルスリーブ１７０の四角枠１８５から離すと、プルスリーブ１７０はコイルばね１８１によってＸ１方向に元の位置まで移動される。
【００４５】
次に、トランシーバモジュール５０がサーバ装置２０の装着されている状態において例えば平衡伝送用ケーブルコネクタ４０が誤って引っ張られてトランシーバモジュール５０にサーバ装置２０から抜け出る方向の力が作用した場合のラッチ機構１５０の状態について、図１４を参照して説明する。
【００４６】
ラッチ爪部材１５１は十分な強度を有しており、且つ、溝部１９０内に嵌合しており、面１５２及び面１５３が夫々溝部１９０の側面１９０ａ，１９０ｂに対向している。
【００４７】
トランシーバモジュール５０にサーバ装置２０から抜け出る方向の力が作用すると、ラッチ爪部材１５１のＹ２側の部分にはトランシーバモジュール装着台２１の係止口２１ａの縁によってＸ１方向の力Ｆ１が作用し、ラッチ爪部材１５１には面１５３のうち側面１９０ｂに当っている点Ｐ２を中心に反時計方向のモーメントＭ１が作用する。
【００４８】
ここで、ラッチ爪部材１５１は十分な強度を有しており、且つ、溝部１９０内に嵌合しており、面１５２及び面１５３が夫々溝部１９０の側面１９０ａ，１９０ｂに対向しているため、面１５２が側面１９０ａに当り、面１５３が側面１９０ｂに当って、Ｘ１−Ｘ２方向上離れている二箇所Ｐ１，Ｐ２でしっかりと支えられる。よって、ラッチ爪部材１５１自体が変形したり、ラッチ爪部材１５１の向きが斜めになるようなことは起きない。
【００４９】
なお、上記のモーメントＭ１はトランシーバモジュール５０をサーバ装置２０から抜き出すべく操作者が手でプルスリーブ１７０をＸ２方向に引く場合にも作用する。
【００５０】
ここで、ラッチ爪部材１５１のカム部１５４は、ラッチ爪部材１５１のうちＸ２側に配置してある。このため、操作者は手でプルスリーブ１７０をＸ２方向に引く操作を行った場合にラッチ爪部材１５１をＹ１方向に押す力Ｆ２が作用する位置Ｐ３はＸ１−Ｘ２方向上係止面１５２と同じ位置となり、この力Ｆ２は上記のモーメントＭ１を打ち消す方向に作用し、よって、ラッチ爪部材１５１が溝部１９０をこじることが起きず、ラッチ爪部材１５１の溝部１９０内のＹ１方向の移動は円滑に行われる。
【００５１】
なお、Ｙ１側にも上記と同じ機構が設けてあり、プルスリーブ１７０を引くと、Ｙ２側ラッチ爪部材１５１とＹ１側ラッチ爪部材１５１とが同時にモジュールハウジング９０内に引き込まれる。
【００５２】
また、上記のラッチ機構１５０は、正面側に平衡伝送用コネクタプラグ８０に代えて光コネクタを備え、内部に光電変換部を備えたトランシーバモジュールにも適用が可能である。
【実施例２】
【００５３】
図１５及び図１６は本発明の実施例２になるトランシーバモジュール５０Ａを示す。図１５にはトランシーバモジュール５０Ａを分解した状態を併せて示す。図３及び図４に示すトランシーバモジュール５０と比較して、トランシーバモジュール５０Ａはラッチ機構の一部が相違し、その他の部分は前記のトランシーバモジュール５０と同じであり、その図示は省略する。
【００５４】
ラッチ機構１５０Ａは、図１７に示すプルスリーブ１７０Ａを有する。図１６及び図１７に示すように、プルスリーブ１７０Ａは、プルスリーブ本体１７１Ａとシールド板部材２００とよりなり、前記のコイルばね１８１は有していない。
【００５５】
プルスリーブ本体１７１Ａは、低コスト化及び軽量化等のために合成樹脂の成形部品であり、四角枠形状のプルスリーブ部１７２Ａと、このプルスリーブ部１７２Ａの両側の部分からＸ１方向に突き出ている二つのロッド部１７３Ａとよりなる。ロッド部１７３Ａは四角柱状であり、途中の部位に、スリット１７７Ａ及び凹部１７９Ａを有する。スリット１７７Ａは、プルスリーブ本体１７１Ａの両側の外側からＵ字形状に切り込んである。スリット１７７Ａの奥には断面が四角の芯部１７８Ａが残されている（図１８参照）。凹部１７９Ａは、スリット１７７Ａの位置からＸ１側の部分に、ロッド部１７３ＡのＺ１側の面に形成してある。
【００５６】
図１８に示すように、シールド板部材２００は、金属板片であり、本体部２０１と、本体部２０１の上側の山形の板ばね部２０２と、本体部２０１の下側のＵ字形状板ばね部２０３とよりなる。本体部２０１は、板状であり、フランジハーフ部９６の切欠部１０５（フランジ部１１９の開口１１９ａ）に対応する大きさであり、一側に上記芯部１７８Ａに対応する四角の切欠２０１ａを有し、且つ、切欠２０１ａよりもＹ２側の部位であって切欠２０１ａのコーナの近くの部位に凸部２０１ｂ，２０１ｃが形成してある。板ばね部２０２は、本体部２０１の上端よりＸ１方向に折り曲げてＺ１方向に凸の山形形状を有する。Ｕ字形状板ばね部２０３は、本体部２０１より下側の部分をＸ２側に折り返してＵ字形状を有している。
【００５７】
シールド板部材２００は、本体部２０１をプルスリーブ本体１７１Ａのロッド部１７３Ａのスリット１７７Ａ内に嵌合させ、切欠２０１ａを芯部１７８Ａに嵌合され、凸部２０１ｂ，２０１ｃがスリット１７７Ａ内に圧入された状態で、ロッド部１７３Ａの軸線に対して垂直の向きに固定してある。山形の板ばね部２０２は、凹部１７９Ａ内に収まっている。Ｕ字形状板ばね部２０３は、ロッド部１７３ＡからＺ２側に突き出ている。
【００５８】
図１９は上側ハウジングハーフ９１と下側ハウジングハーフ１１０とを組み合わせてなるモジュールハウジング９０を示す。フランジ部１１９はそのＹ１、Ｙ２側に四角形の開口１１９ａを有する。開口１１９ａは、ロッド部１７３Ａの基部が通すための開口であり、ロッド部１７３Ａの基部の部分の断面形状に対応した形状を有する。
【００５９】
プルスリーブ１７０Ａは、上側ハウジングハーフ９１と下側ハウジングハーフ１１０とを組み合わせるときに、この間に収まるようにし、カバーハーフ部９７、１１２がプルスリーブ部１７２Ａの内側に嵌合するようにし、且つ、フランジハーフ部９６の切欠部１０５がロッド部１７３Ａの基部の部分と嵌合するようにして組み立てられる。ロッド部１７３Ａは、図１６に示すように、モジュールハウジング９０の内部に収まり、山形の板ばね部２０２が上側ハウジングハーフ９１の天井面と接触し、且つ、Ｕ字形状板ばね部２０３のＺ２端が下側ハウジングハーフ１１０の底面と接触し、Ｕ字形状板ばね部２０３の先端部が下側ハウジングハーフ１１０の内部の垂直リブ１１９ｃと対向して接触した状態となる。
【００６０】
次に、ラッチ機構１５０Ａのシールド板部材２００の機能及び作用について説明する。
【００６１】
シールド板部材２００は第１にはシールド機能を有する。即ち、トランシーバモジュール５０Ａがサーバ装置２０のトランシーバモジュール装着台２１に装着されている状態において、モジュールハウジング９０はフレームグランド電位にあり、よって、シールド板部材２００もフレームグランド電位にある。また、図１５に示すように、本体部２０１及びＵ字形状板ばね部２０３は開口１１９ａの直ぐ裏側に位置している。よって、シールド板部材２００は、トランシーバモジュール５０Ａの内部で発生した電磁波が開口１１９ａを通して外部に漏れ出すことを制限するように作用し、開口１１９ａの部分に対するＥＭＩ防止機能を有する。
【００６２】
シールド板部材２００は第２には引かれたプルスリーブ１７０Ａを元の位置まで復帰させるばねとして機能する。操作者がプルスリーブ本体１７１Ａを掴んでＸ２方向に強く引くと、Ｕ字形状板ばね部２０３が撓まされて、プルスリーブ１７０ＡがＸ２方向に移動され、前記と同様にロックが解除されて、トランシーバモジュール５０Ａがサーバ装置２０から引き出される。操作者が手をプルスリーブ本体１７１Ａから離すと、Ｕ字形状板ばね部２０３が弾性復元して、プルスリーブ１７０ＡはＸ１方向に元の位置まで戻される。
【００６３】
なお、シールド板部材２００をインサート成形してプルスリーブ１７０Ａを製造することも可能である。
【実施例３】
【００６４】
図２０は本発明の実施例３になるトランシーバモジュール５０Ｂを示す。図３及び図４に示すトランシーバモジュール５０と比較して、トランシーバモジュール５０Ｂは、高さ寸法Ｈ１０が前記のトランシーバモジュール５０の高さ寸法Ｈ２よりも小さく、薄型であるロウタイプであり、フランジ部１１９Ｂの裏側の部分の上面と下面とに、金属ばね型のガスケット２５０を設け、且つ、フランジ部１１９Ｂの裏側の部分の左右側の面に円柱形状のガスケット２６０を設けた構成が相違する。その他の部分は前記のトランシーバモジュール５０と同じであり、その図示は省略する。
【００６５】
図２０及び図２３に示すように、トランシーバモジュール５０Ｂのモジュールハウジング９０Ｂのフランジ部１１９Ｂは、Ｚ１面側フランジ部１１９ＢＺ１と、Ｚ２面側フランジ部１１９ＢＺ２と、Ｙ１面側フランジ部１１９ＢＹ１と、Ｙ２面側フランジ部１１９ＢＹ２とからなる構成である。Ｙ２面側フランジ部１１９ＢＹ２は、Ｙ２面側フランジハーフ部９６Ｙ２とＹ２面側フランジハーフ部１１１Ｙ２とが並んだ構成である。Ｙ１面側フランジ部１１９ＢＹ１もＹ２面側フランジ部１１９ＢＹ２と同じ構成である。
【００６６】
ロウタイプは薄型であるため、図２１（Ａ）に示すように、Ｚ１面側フランジ部１１９ＢＺ１の高さ寸法ｈは低く、スポンジガスケットを係止することが可能である部分の寸法が短く、従来の四角枠形状のスポンジガスケットは使用をすることが出来ない。そこで、本発明者が発明した図２２に示す金属ばね型のガスケット２５０を使用している。
【００６７】
金属ばね型のガスケット２５０は、Ｙ１−Ｙ２方向に長い帯部２５１と、所定のピッチｐで帯部２５１よりＸ２の方向にＺ１方向に傾斜して延在している多数の板ばね部２５２と、帯部２５１のＸ１側の縁に沿って多数形成してあるラッチ部２５３とよりなる構成である。ピッチｐは、電磁波の通過を許さない狭さである。板ばね部２５２は、その先端側にＳ字形状部２５２ａ及び先端部２５２ｂを有する。ラッチ部２５３は、隣接する板ばね部２５２の間の位置にあり、Ｚ２方向の折り曲げてある本体部２５３ａと、本体部２５３ａの下端よりＸ２側にＺ１方向に折り返して形成してある板ばね部２５３ｂと、本体部２５３ａの両側から下端よりＸ２方向に折り曲げてある一対のラグ部２５３ｃ，２５３ｄとよりなる。
【００６８】
この金属ばね型のガスケット２５０は上側ハウジングハーフ９１Ｂと下側ハウジングハーフ１１１Ｂとに取り付けてある。上側ハウジングハーフ９１Ｂに取り付けてある金属ばね型のガスケットを符号２５０Ｚ１で示し、下側ハウジングハーフ１１１Ｂに取り付けてある金属ばね型のガスケットを符号２５０Ｚ２で示す。
【００６９】
金属ばね型のガスケット２５０Ｚ１は、図２１（Ａ）、（Ｂ）及び図２５に示すように、各板ばね部２５２の先端部２５２ｂをＺ１面側フランジ部１１９ＢＺ１のスリット２５５に係止させ、各ラッチ部２５３を上側ハウジングハーフ９１Ｂのスリット２５６に押し込むことによって、スリット２５６を通り抜けた板ばね部２５３ｂが上側ハウジングハーフ９１Ｂの裏面を係止してセルフロックされて、且つラグ部２５３ｃ，２５３ｄがスリット２５６に丁度に係合して固定されている。即ち、金属ばね型のガスケット２５０Ｚ１は、上側ハウジングハーフ９１Ｂの上面のうちＺ１面側フランジ部１１９ＢＺ１の直ぐＸ１側の部位に、多数の板ばね部２５２がＺ１面側フランジ部１１９ＢＺ１に沿ってＹ１−Ｙ２方向に並んだ状態で取り付けてある。全部の板ばね部２５２は先端部分がＺ２方向に弾性変形可能な状態である。
【００７０】
図２５に示すように、下側ハウジングハーフ１１１Ｂに金属ばね型のガスケット２５０Ｚ２が上記と同様にして取り付けてある。
【００７１】
図２３に示すように、２６０Ｙ２は円柱形状のガスケットであり、Ｙ２面側フランジハーフ部９６Ｙ２の裏面側の凹部２６５に上側半分を嵌合され、Ｙ２面側フランジハーフ部１１１Ｙ２の裏面側の凹部２６６に下側半分を嵌合されて、Ｙ２面側フランジ部１１９ＢＹ２の裏面側に取り付けてある。Ｙ１面側フランジ部１１９ＢＹ１の裏面側にも同じく円柱形状のガスケット２６０Ｙ１が取り付けてある。
【００７２】
トランシーバモジュール５０Ｂは、図２４に示すように、サーバ装置２０のフロントパネル２２のトランシーバモジュール挿入口２３を通して挿入されて装着してある。トランシーバモジュール５０Ｂと挿入口２３との係わり合いは、図２４、図２５及び図２６に示す状態となっている。即ち、四角の挿入口２３は、各辺にサーバ装置２０の内側に向かって折り曲げてある折り曲げ縁部２８Ｚ１、２８Ｚ２、２８Ｙ１、２８Ｙ２１を有する。トランシーバモジュール５０Ｂの装着の最終段階で、板ばね部２５２及び円柱形状のガスケット２６０Ｙ１，２６０Ｙ２は折り曲げ縁部２８Ｚ１等に当って撓まされる。よって、図２５に示すように、金属ばね型のガスケット２５０Ｚ１の全部の板ばね部２５２が折り曲げ縁部２８Ｚ１に押し当ったっており、金属ばね型のガスケット２５０Ｚ２の全部の板ばね部２５２が折り曲げ縁部２８Ｚ２に押し当ったっている。図２６に示すように、円柱形状のガスケット２６０Ｙ１が折り曲げ縁部２８Ｙ１に押し当ったっており、円柱形状のガスケット２６０Ｙ２が折り曲げ縁部２８Ｙ２に押し当ったっている。これによって、挿入口２３の縁に沿う部分が良好にシールドされ、挿入口２３の縁の全周に沿う部分にＥＭＩ対策がなされた状態とされている。
【００７３】
図２７（Ａ）乃至（Ｅ）は前記ラッチ部２５３の変形例を示す。図２７（Ａ）、（Ｂ）に示すラッチ部２５３Ａ、２５３Ｂはスリット２５６に差し込むと一部が弾性復元してハウジングハーフの裏面を係止してセルフロックされる構造のものである。図２７（Ｃ）、（Ｄ）、（Ｅ）に示すラッチ部２５３Ｃ、２５３Ｄ、２５３Ｅは、夫々、スリット２５６に差し込にだ状態でハウジングハーフの裏面に突き出ている部分を符号２５３Ｃｘ、２５３Ｄｘ、２５３Ｅｘで示すように折り曲げて固定する構造のものである。
【実施例４】
【００７４】
図２８は本発明の実施例４になるトランシーバモジュール５０Ｃを分解して示す。図２８では、プルスリーブ及びラッチ機構は省略してある。図２９及び図３０は図２８中、Ｘ２側の部分を拡大して示す。図３３は平衡伝送用コネクタプラグ８０Ｃのモジュールハウジング９０Ｃのカバー部１２２Ｃ内における固定状態を示す。図３３はＹ２側からみた図であり、図３４はＹ１側からみた図である。各図中、図５に示す構成部分と対応する部分には同じ符号を付し、相違する部分には添字Ｃを付した同じ符号を付す。
【００７５】
トランシーバモジュール５０Ｃは、図５に示すトランシーバモジュール５０とは、平衡伝送用コネクタプラグ８０Ｃのモジュールハウジング９０Ｃのカバー部１２２Ｃ内における固定状態が相違する。図３５は平衡伝送用コネクタプラグ８０Ｃのハウジング８１Ｃがカバー部１２２Ｃによって固定されている部分を概略的に示す図である。
【００７６】
ハウジング８１Ｃは図３４に示すように略直方体であり、幅寸法Ｗは長く、高さ寸法Ｈは短い。このため、ハウジング８１Ｃをカバー部１２２Ｃの内部に固定した場合に、Ｚ１−Ｚ２軸に関する回動に関しては拘束し易いけれども、Ｙ１−Ｙ２軸に関する回動に関しては拘束し難い。
【００７７】
平衡伝送用コネクタプラグ８０Ｃは、図５に示す平衡伝送用コネクタプラグ８０とは、ハウジング８１Ｃの一部が相違する。図２９に示すように、絶縁性のハウジング８１ＣのＹ１側の側面８１ＣＹ２に、上面８１ＣＺ１から切り込んである逆台形状溝３００Ｙ２及び下面８１ＣＺ２から切り込んである台形状溝３０１Ｙ２を有し、且つ、図３０に示すように、ハウジング８１ＣのＹ１側の側面８１ＣＹ１に、上面８１ＣＺ１から切り込んである逆台形状溝３０１Ｙ１及び下面８１ＣＺ２から切り込んである台形状溝３０１Ｙ１を有する。ハウジング８１Ｃの側面８１ＣＹ１及び８１ＣＹ２は共に略四角形状である。
【００７８】
Ｘ１−Ｘ２の方向上、逆台形状溝３００Ｙ２、３００Ｙ１はＸ１−Ｘ２軸線の位置Ｐ１にあり、台形状溝３０１Ｙ２、３０１Ｙ１は位置Ｐ１よりもＸ２側の位置Ｐ２にあり、逆台形状溝３００Ｙ２、３００Ｙ１と台形状溝３０１Ｙ２、３０１Ｙ１とは、Ｘ１−Ｘ２の方向上、距離Ｌ離れている。
【００７９】
図２８に示すように、モジュールハウジング９０Ｃは、上側ハウジングハーフ９１Ｃと下側ハウジングハーフ１１０Ｃとが組み合わされている構成であり、図５に示すモジュールハウジング９０とは、カバー部１２２Ｃが相違する。カバー部１２２Ｃとは平衡伝送用コネクタプラグ８０Ｃのハウジング８１Ｃを包んで覆う部分をいう。カバー部１２２Ｃは、カバーハーフ部９７Ｃと、カバーハーフ部１１２Ｃとが組合わさって形成される。
【００８０】
上側ハウジングハーフ９１Ｃ及び下側ハウジングハーフ１１０Ｃは、図５に示す上側ハウジングハーフ９１及び下側ハウジングハーフ１１０とはカバーハーフ部９７Ｃ、１１２Ｃの内部が相違する。カバーハーフ部９７Ｃには、上記の逆台形状溝３００Ｙ２、３００Ｙ１に対応する逆台形状突起３１０Ｙ２，３１０Ｙ１が形成してあり、カバーハーフ部１１２Ｃには、上記の台形状溝３０１Ｙ２、３０１Ｙ１に対応する台形状突起３２０Ｙ２，３２０Ｙ１が形成してある。
【００８１】
逆台形状突起３１０Ｙ２は、図３０に示すように、カバーハーフ部９７Ｃの天板部９７Ｃａと側板９７Ｃｂとが形成するコーナの個所に、側板９７Ｃｂの内面に盛り上がって、天板部９７ＣａよりＺ２方向に突き出ている。逆台形状突起３１０Ｙ１は、図２９に示すように、カバーハーフ部９７Ｃの天板部９７Ｃａと側板９７Ｃｃとが形成するコーナの個所に、側板９７Ｃｃの内面に盛り上がって、天板部９７ＣａよりＺ２方向に突き出ている。
【００８２】
台形状突起３１０Ｙ２は、図３０に示すように、カバーハーフ部１１２Ｃの底板部１１２Ｃａと側板１１２Ｃｂとが形成するコーナの個所に、側板１１２Ｃｂの内面に盛り上がって、底板部１１２ＣａよりＺ１方向に突き出ている。台形状突起３１０Ｙ１は、図２９に示すように、カバーハーフ部１１２Ｃの底板部１１２Ｃａと側板１１２Ｃｃとが形成するコーナの個所に、側板１１２Ｃｃの内面に盛り上がって、底板部１１２ＣａよりＺ１方向に突き出ている。
【００８３】
Ｘ１−Ｘ２の方向上、逆台形状突起３１０Ｙ２，３１０Ｙ１は位置Ｐ１にあり、台形状突起３２０Ｙ２，３２０Ｙ１は位置Ｐ１よりもＸ２側の位置Ｐ２にあり、逆台形状突起３１０Ｙ２，３１０Ｙ１と台形状突起３２０Ｙ２，３２０Ｙ１とは、Ｘ１−Ｘ２の方向上、距離Ｌ離れている。
【００８４】
図３１（Ａ），（Ｂ）は逆台形状溝３００Ｙ２（３００Ｙ１）と逆台形状突起３１０Ｙ２（３１０Ｙ１）とを拡大して対向させて示す。図３２（Ａ），（Ｂ）は台形状溝３０１Ｙ２（３０１Ｙ１）と台形状突起３２０Ｙ２（３２０Ｙ１）とを拡大して対向させて示す。逆台形状溝３００Ｙ２（３００Ｙ１）及び台形状溝３０１Ｙ２（３０１Ｙ１）の開き角度はα１、逆台形状突起３１０Ｙ２（３１０Ｙ１）及び台形状突起３２０Ｙ２（３２０Ｙ１）の開き角度はα２であり、α２はα１よりも僅かに大きく、α２＞α１であり、図３１（Ｂ）、図３２（Ａ）に突起を溝に重ねて示すように、逆台形状突起３１０Ｙ２（３１０Ｙ１）が逆台形状溝３００Ｙ２（３００Ｙ１）に圧入され、台形状突起３２０Ｙ２（３２０Ｙ１）が台形状溝３０１Ｙ２（３０１Ｙ１）に圧入されるようにしてある。
【００８５】
図３３、図３４及び図３５に示すように、平衡伝送用コネクタプラグ８０Ｃのハウジング８１Ｃの部分がカバーハーフ部９７Ｃとカバーハーフ部１１２Ｃとの間に挟まれ、カバー部１２２Ｃによって包み込まれており、ハウジング８１ＣはＹ２側について二個所、Ｙ１側について二個所をカバー部１２２Ｃに固定されている。
【００８６】
Ｑ１はハウジング８１Ｃの上面８１ＣＺ１の高さであり、Ｑ２はハウジング８１Ｃの下面８１ＣＺ２の高さである。
【００８７】
Ｙ２側についてみると、図３３に示すように、ハウジング８１Ｃの上面８１ＣＺ１側は、逆台形状突起３１０Ｙ２が逆台形状溝３００Ｙ２に嵌合して圧入されており、部位ＢＹ２で、Ｘ１−Ｘ２方向の動き及びＺ１方向の動きを拘束されて固定してある。ハウジング８１Ｃの下面８１ＣＺ２側は、台形状突起３２０Ｙ２が台形状溝３０１Ｙ２に嵌合して圧入されており、部位ＣＹ２で、Ｘ１−Ｘ２方向の動き及びＺ２方向の動きを拘束されて固定してある。高さＱ１の固定部ＢＹ２と高さＱ２の固定部ＣＹ２とは、トランシーバモジュール５０Ｃの長手方向（Ｘ１−Ｘ２の方向）上、距離Ｌずれている。固定部ＢＹ２と固定部ＣＹ２とは、斜めの線３３０Ｙ２上の異なった二つの位置であり、Ｙ２側側面８１ＣＹ２の対角に近い位置である。
【００８８】
Ｙ１側についてみると、図３４に示すように、ハウジング８１Ｃの上面８１ＣＺ１側は、逆台形状突起３１０Ｙ１が逆台形状溝３００Ｙ１に嵌合して圧入されており、部位ＢＹ１で、Ｘ１−Ｘ２方向の動き及びＺ１方向の動きを拘束されて固定してある。ハウジング８１Ｃの下面８１ＣＺ２側は、台形状突起３２０Ｙ１が台形状溝３０１Ｙ１に嵌合して圧入されており、部位ＣＹ１で、Ｘ１−Ｘ２方向の動き及びＺ２方向の動きを拘束されて固定してある。高さＱ１の固定部ＢＹ１と高さＱ２の固定部ＣＹ１とは、トランシーバモジュール５０Ｃの長手方向（Ｘ１−Ｘ２の方向）上、距離Ｌずれている。固定部ＢＹ１と固定部ＣＹ１とは、斜めの線３３０Ｙ１上の異なった二つの位置であり、Ｙ１側側面８１ＣＹ１の対角に近い位置である。
【００８９】
よって、ハウジング８１Ｃの固定部は、図３５に示すように、８つのコーナ１〜８のうち、Ｘ１とＺ１との間の位置とＸ２とＺ２との間の位置とを通る面Ｓ１上のコーナ１、５、４、８の近くの位置である。ハウジング８１Ｃの上面側の固定部ＢＹ１、ＢＹ２とハウジング８１Ｃの下面側の固定部ＤＹ１、ＤＹ２とは、トランシーバモジュール５０Ｃの長手方向（Ｘ１−Ｘ２の方向）上、距離Ｌずれている。
【００９０】
ここで、平衡伝送用コネクタプラグ８０Ｃの先端側を図３３、図３４に矢印で示すようにＺ１−Ｚ２方向にこじるように動かそうとした場合を想定してみる。平衡伝送用コネクタプラグ８０Ｃは、こじる方向に応じて、高さＱ１の固定部或いは高さＱ２の固定部を中心として回動してこのように動いて傾こうとする。
【００９１】
平衡伝送用コネクタプラグ８０Ｃの先端側にＺ２方向の力ＦＺ２が作用した場合には、平衡伝送用コネクタプラグ８０Ｃは、固定部ＣＹ２、ＣＹ１を中心に回動して傾こうとするけれども、固定部ＢＹ２、ＢＹ１がストッパとして機能し、距離Ｌが回動中心からストッパまでの腕の長さとなり、固定部ＢＹ２、ＢＹ１のストッパとしての機能が効果的に作用し、カバー部１２２Ｃ内で平衡伝送用コネクタプラグ８０Ｃの傾く動きは効果的に制限される。
【００９２】
平衡伝送用コネクタプラグ８０Ｃの先端側にＺ１方向の力ＦＺ１が作用した場合には、平衡伝送用コネクタプラグ８０Ｃは、固定部ＢＹ１、ＢＹ２を中心に回動して傾こうとするけれども、固定部ＣＹ１、ＣＹ２がストッパとして機能し、距離Ｌが回動中心からストッパまでの腕の長さとなり、固定部ＣＹ１、ＣＹ２のストッパとしての機能が効果的に作用し、カバー部１２２Ｃ内で平衡伝送用コネクタプラグ８０Ｃの傾く動きは効果的に制限される。
【００９３】
よって、図３に示すように、平衡伝送用ケーブルコネクタ４０をサーバ装置２０の平衡伝送用コネクタプラグ８０Ｃに接続したり、平衡伝送用ケーブルコネクタ４０を平衡伝送用コネクタプラグ８０Ｃから外す操作を手荒に行なった場合であっても、平衡伝送用ケーブルコネクタ４０はカバー部１２２Ｃの内部でＸ−Ｚ面内で回動するように動いてしまうことは起きない。よって、端子部８６がプリント基板６０の対応する端子部に半田付けされている部分には無用な応力が作用せず、半田付け部分が傷んだり、半田付け部分が剥離したりすることも起きない。
【００９４】
なお、固定部ＢＹ２、ＣＹ２と固定部ＢＹ１、ＣＹ１とは、Ｙ１−Ｙ２軸線上、前記の距離Ｌの数倍離れており、平衡伝送用コネクタプラグ８０Ｃのハウジング８１Ｃのカバー部１２２Ｃの内部でのＺ１−Ｚ２軸線を中心とする回動の動きは、良好に拘束されている。
【００９５】
なお、ハウジング８１Ｃの固定個所が、図３５中、Ｘ１とＺ２との間の位置とＸ２とＺ１との間の位置とを通る面Ｓ２上のコーナ２、３、６、７の近くの位置、即ち、図３３及び図３４中、ＡＹ１、ＡＹ２、ＤＹ１、ＤＹ２で示す位置であるようにしてもよい。更には、ハウジング８１Ｃの固定個所が全部のコーナ１〜８の近くの位置、即ち、図３３及び図３４中、ＡＹ１、ＡＹ２、ＢＹ１、ＢＹ２、ＣＹ１、ＣＹ２、ＤＹ１、ＤＹ２で示す位置であるようにしてもよい。
【図面の簡単な説明】
【００９６】
【図１】本願の出願人が本願の発明に到る途中で考えた構成のラッチ機構を示す図である。
【図２】図１のラッチ機構の問題点を説明するための図である。
【図３】本発明の実施例１になるトランシーバモジュールを示す斜視図である。
【図４】図３のトランシーバモジュールの断面図である。
【図５】図３のトランシーバモジュールの分解斜視図である。
【図６】図３中、垂直面ＳＶＩで断面したトランシーバモジュールの正面側部分の拡大断面図である。
【図７】図３中、垂直面ＳＶＩＩで断面したトランシーバモジュールの正面側部分の拡大断面図である。
【図８】図３中、ラッチ機構を拡大して示す平面図である。
【図９】図８中、ラッチ爪部材及びこれと関連する部分を拡大して示す平面図である。
【図１０】図８中、Ｘ−Ｘ線に沿う断面図である。
【図１１】図８のラッチ機構を分解して示す図である。
【図１２】プルスリーブを引いたときの状態のラッチ機構を示す図である。
【図１３】プルスリーブを引いたときのラッチ爪部材及びこれと関連する部分の状態を示す図である。
【図１４】トランシーバモジュールに引き抜く方向の力が作用した場合のラッチ爪部材の状態を説明するための図である。
【図１５】本発明の実施例２になるトランシーバモジュールを、分解した状態を併せて示す斜視図である。
【図１６】図１５中、ラッチ機構のプルスリーブの部分を示す断面図である。
【図１７】プルスリーブを拡大して示す斜視図である。
【図１８】シールド板部材及びシールド板部材のロッド部への取り付け状態を示す図である。
【図１９】モジュールハウジングを示す斜視図である。
【図２０】本発明の実施例３になるトランシーバモジュールを示す斜視図である。
【図２１】図２０中、金属ばね型のガスケットが取り付けてある部分を示す断面図である。
【図２２】金属ばね型のガスケットを示す図である。
【図２３】円柱形状のガスケットの取り付け方法を示す図である。
【図２４】装着してあるトランシーバモジュールの挿入口付近の状態を示す斜視図である。
【図２５】装着してあるトランシーバモジュールの挿入口付近の状態を示す縦断側面図である。
【図２６】装着してあるトランシーバモジュールの挿入口付近の状態を示す横断平面図である。
【図２７】金属ばね型のガスケットのラッチ部の変形例を示す図である。
【図２８】本発明の実施例４になるトランシーバモジュールを示す分解斜視図である。
【図２９】図２８中、平衡伝送用コネクタプラグを固定する部分を拡大して示す図である。
【図３０】図２８中、平衡伝送用コネクタプラグを固定する部分を拡大して且つＹ１側から見て示す図である。
【図３１】逆台形状溝と逆台形状突起とを拡大し対応させて示す図である。
【図３２】台形状溝と台形状突起とを拡大し対応させて示す図である。
【図３３】平衡伝送用コネクタプラグが固定してある部分を拡大して且つＹ２側から見て示す図である。
【図３４】平衡伝送用コネクタプラグが固定してある部分を拡大して且つＹ１側から見て示す図である。
【図３５】平衡伝送用コネクタプラグのハウジングが固定される固定部の位置を概略的に示す図である。
【符号の説明】
【００９７】
２０  サーバ装置
２１  トランシーバモジュール装着台
２２  フロントパネル
２３  挿入口
２４  マザーボード
５０、５０Ａ，５０Ｂ  トランシーバモジュール
５１  データ送受信組立体
６０  プリント基板
６１  カードエッジコンタクト部
７０  ＬＳＩ
８０、８０Ｃ  平衡伝送用コネクタプラグ
８１、８１Ｃ  プラグハウジング
８１ｂ〜８１ｅ  突起部
８１ｆ  張り出し部
８２  グランド端子
８３  プラグ部
８４  シールド部材
９０、９０Ｃ  モジュールハウジング
９１、９１Ｃ  上側ハウジングハーフ
９２  放熱フィン
９３、９４  連結部
９５  台座部
９６  フランジハーフ部
９７、９７Ｃ  カバーハーフ部
９８  リブ部
１００，１０１  突起部
１０２  段部
１０３  放熱シート用凹部
１０４  凸部
１０５  切欠部
１１０、１１０Ｃ  下側ハウジングハーフ
１１１  フランジハーフ部
１１２、１１２Ｃ  カバー部
１１３  リブ部
１１４，１１５  突起部
１１６，１１７  ラッチ機構組み込み部
１１９  フランジ部
１２０  ねじ
１２２、１２２Ｃ  カバー部
１４０，１４１  ガスケット
１５０  ラッチ機構
１５１  ラッチ爪部材
１５２  係止面
１５３  面
１５４  第１のカム部
１５５、１５６  張り出し部
１５７  コイルばね収容用溝部
１６０  コイルばね
１７０  プルスリーブ
１７１  プルスリーブ本体
１７２  プルスリーブ部
１７３  ロッド部
１７４  第２のカム部
１７５  突起部
１７６  凹部
１８０  下側金属板部材
１８１  コイルばね
１８５  四角枠
１９０、１９１、１９５  溝部
１９２  開口
１９３、１９４  ストッパ
２００  シールド板部材
２０１  本体部
２０２  山形の板ばね部
２０３  Ｕ字形状板ばね部
２５０、２５０Ｚ１，２５０Ｚ２  金属ばね型のガスケット
２６０Ｙ１，２６０Ｙ２  円柱形状のガスケット
３００Ｙ１、３００Ｙ２  逆台形状溝
３０１Ｙ１、３０１Ｙ２  台形状溝
３１０Ｙ１、３１０Ｙ２  逆台形状突起
３２０Ｙ１、３２０Ｙ２  台形状突起
【図１】
2006351505.tif 000003
【図２】
2006351505.tif 000004
【図３】
2006351505.tif 000005
【図４】
2006351505.tif 000006
【図５】
2006351505.tif 000007
【図６】
2006351505.tif 000008
【図７】
2006351505.tif 000009
【図８】
2006351505.tif 000010
【図９】
2006351505.tif 000011
【図１０】
2006351505.tif 000012
【図１１】
2006351505.tif 000013
【図１２】
2006351505.tif 000014
【図１３】
2006351505.tif 000015
【図１４】
2006351505.tif 000016
【図１５】
2006351505.tif 000017
【図１６】
2006351505.tif 000018
【図１７】
2006351505.tif 000019
【図１８】
2006351505.tif 000020
【図１９】
2006351505.tif 000021
【図２０】
2006351505.tif 000022
【図２１】
2006351505.tif 000023
【図２２】
2006351505.tif 000024
【図２３】
2006351505.tif 000025
【図２４】
2006351505.tif 000026
【図２５】
2006351505.tif 000027
【図２６】
2006351505.tif 000028
【図２７】
2006351505.tif 000029
【図２８】
2006351505.tif 000030
【図２９】
2006351505.tif 000031
【図３０】
2006351505.tif 000032
【図３１】
2006351505.tif 000033
【図３２】
2006351505.tif 000034
【図３３】
2006351505.tif 000035
【図３４】
2006351505.tif 000036
【図３５】
2006351505.tif 000037